(57)【要約】【課題】口を動かしても、上下にずれにくいマスクを提供する。【解決手段】顔面に装着したとき鼻と口と顎の下面を覆う大きさに形成されたマスク本体１と、マスク本体１の全外周縁部から内方に延びて鼻と口に対応する位置に開口２ａを有する接顔布２とを有し、マスク本体１は、その左右側部が顔面の動きに追従して撓んだときに上下方向に変形するように構成され、マスク本体１の鼻梁に対応する部分には、鼻梁との間に間隔を持つような深さの凹形状の鼻当部１ａ、左右側部には、頬に食い込むように当接する頬当部１ｂ、顎に対応する部分には、顎の下面に当接する顎当部１ｃが設けられている。マスク本体１は、外面側の柔軟なシート状部材１０と、その内面側の弾性材料製の保形部材２０とからなる。【選択図】図１
2010057839.tif 000002
【特許請求の範囲】
【請求項１】
顔面に装着したとき鼻と口と顎の下面を覆う大きさに形成されたマスク本体を有し、該マスク本体が、その左右側部が顔面の動きに追従して撓んだときに上下方向に変形するように構成されていることを特徴とするマスク。
【請求項２】
請求項１に記載のマスクであって、
前記マスク本体に、該マスク本体の全外周縁部から内方に延びて、該マスク本体を顔面に装着したときに、顔面に密着し且つ鼻と口に対応する位置に開口を有する接顔布が連設されると共に、
前記マスク本体の鼻梁に対応する部分に、該マスク本体を顔面に装着したときに鼻梁との間に間隔を持つような深さの凹形状の鼻当部が設けられていることを特徴とするマスク。
【請求項３】
請求項１または２に記載のマスクであって、
前記マスク本体の左右側部に、顔面に装着したときに頬に食い込むように当接する頬当部が設けられていることを特徴とするマスク。
【請求項４】
請求項１〜３のいずれかに記載のマスクであって、
前記マスク本体が、外面側の柔軟なシート状部材と、該シート状部材の内面側に配されて前記マスク本体の形状を保持する弾性材料製の保形部材とからなることを特徴とするマスク。
【請求項５】
請求項４に記載のマスクであって、
前記保形部材が、前記マスク本体の全外周縁部に沿い且つ顔面の起伏に沿わないような立体形状に形成された環状部と、該環状部に端部が結合されることで湾曲したネット状に張られた桟部とからなり、前記環状部の左右方向の中央上部に、前記マスク本体を顔面に装着したときに鼻梁との間に間隔を持つような深さで凹形状に形成された鼻当部が設けられ、前記環状部の左右側部に、前記マスク本体を顔面に装着したときに頬に食い込むように当接する頬当部が設けられ、前記環状部の左右方向の中央下部に、前記マスク本体を顔面に装着したときに顎の下面を覆う顎当部が設けられていることを特徴とするマスク。
【請求項６】
請求項１〜３のいずれかに記載のマスクであって、
前記マスク本体が、柔軟性と保形性を有する材料により一体に形成されていることを特徴とするマスク。
【発明の詳細な説明】
【技術分野】
【０００１】
本発明は、防塵等のために顔に装着するマスクに関するものである。
【背景技術】
【０００２】
特許文献１に、鼻と口を覆うように略半球状に形成されたマスク本体の全外周縁部に、顔面の形状にフィットするように形成された接顔部材を連設したマスクが開示されている。また、特許文献２には、接顔部材を有した上で更に、マスク本体の周縁部に沿って保形部材を挿入したマスクが開示されている。
【特許文献１】特開２０００−２０２０５１号公報
【特許文献２】特開２００３−３２００４１号公報
【発明の開示】
【発明が解決しようとする課題】
【０００３】
ところで、上記特許文献１や特許文献２に記載された従来のマスクは、口を動かした際に、上下にずれやすいという問題があった。
【０００４】
本発明は、上記事情を考慮し、口を動かしても、上下にずれにくいマスクを提供することを目的とする。
【課題を解決するための手段】
【０００５】
請求項１の発明のマスクは、顔面に装着したとき鼻と口と顎の下面を覆う大きさに形成されたマスク本体を有し、該マスク本体が、その左右側部が顔面の動きに追従して撓んだときに上下方向に変形するように構成されていることを特徴とする。
【０００６】
請求項２の発明は、請求項１に記載のマスクであって、前記マスク本体に、該マスク本体の全外周縁部から内方に延びて、該マスク本体を顔面に装着したときに、顔面に密着し且つ鼻と口に対応する位置に開口を有する接顔布が連設されると共に、前記マスク本体の鼻梁に対応する部分に、該マスク本体を顔面に装着したときに鼻梁との間に間隔を持つような深さの凹形状の鼻当部が設けられていることを特徴とする。
【０００７】
請求項３の発明は、請求項１または２に記載のマスクであって、前記マスク本体の左右側部に、顔面に装着したときに頬に食い込むように当接する頬当部が設けられていることを特徴とする。
【０００８】
請求項４の発明は、請求項１〜３のいずれかに記載のマスクであって、前記マスク本体が、外面側の柔軟なシート状部材と、該シート状部材の内面側に配されて前記マスク本体の形状を保持する弾性材料製の保形部材とからなることを特徴とする。
【０００９】
請求項５の発明は、請求項４に記載のマスクであって、前記保形部材が、前記マスク本体の全外周縁部に沿い且つ顔面の起伏に沿わないような立体形状に形成された環状部と、該環状部に端部が結合されることで湾曲したネット状に張られた桟部とからなり、前記環状部の左右方向の中央上部に、前記マスク本体を顔面に装着したときに鼻梁との間に間隔を持つような深さで凹形状に形成された鼻当部が設けられ、前記環状部の左右側部に、前記マスク本体を顔面に装着したときに頬に食い込むように当接する頬当部が設けられ、前記環状部の左右方向の中央下部に、前記マスク本体を顔面に装着したときに顎の下面を覆う顎当部が設けられていることを特徴とする。
【００１０】
請求項６の発明は、請求項１〜３のいずれかに記載のマスクであって、前記マスク本体が、柔軟性と保形性を有する材料により一体に形成されていることを特徴とする。
【発明の効果】
【００１１】
請求項１の発明によれば、マスク本体が顎の下面を覆う部分を持つので、口の動きに引きずられてマスクが上にずり上がらない。また、マスク本体が顔の動きに追従して上下方向に変形するようになっているので、口の動きに引きずられてマスクが下にずり下がらない。
【００１２】
請求項２の発明によれば、鼻梁にマスク本体の鼻当部が直接当たらず、接顔布だけが当たるようになっているので、長時間の装着においても、鼻梁が痛くなることがない。また、その鼻当部が顔面の硬い部分である鼻梁に当たらないので、口の動きに引きずられて顔面との間に余計な隙間ができず密着性を維持でき、マスク本体がずり上がるのを防止することができる。また、鼻梁と鼻当部の隙間は接顔布で確実に覆うことができるので、密着性を維持しつつ装着性の良さを発揮することができる。
【００１３】
請求項３の発明によれば、マスク本体の左右側部に頬当部が設けられており、その頬当部が顔面の硬い部分ではない頬に食い込むよう当たるので、密着性を維持しつつ痛さを感じずにフィット性を良好に保つことができる。
【００１４】
請求項４の発明によれば、弾性材料製の保形部材をシート状部材の内面側に配することでマスク本体を構成しているので、マスク本体に、口の動きに追従する変形性能を持たせやすい。つまり、弾性材料製の保形部材の形状により、密着性を維持しつつマスク本体に口の動きに追従する変形のしやすさを容易に持たせることができる。
【００１５】
請求項５の発明によれば、保形部材を、マスク本体の全外周縁部に沿い且つ顔面の起伏に沿わないような立体形状に形成された環状部と、環状部に端部が結合されることで湾曲ネット状に張られた桟部とで構成しているので、保形部材が変形するときに、環状部の周長を一定に保ちながら変形させることができる。従って、例えば、左右の頬当部が顔面の動きに追従して左右方向に撓んだ場合、それに伴って、左右方向中央部の鼻当部と顎当部を上下方向に変位させことができる。そのため、口の動きに伴う顔面の動きに追従して、マスク本体を変形させることができて、密着性を維持しつつマスク本体を上にも下にもずれにくくすることができる。
【００１６】
請求項６の発明によれば、マスク本体が、柔軟性と保形性を有する材料（例えば不織布）により一体に形成されているので、部品点数の削減を図ることができる。
【発明を実施するための最良の形態】
【００１７】
以下、本発明の実施の形態を図面を参照して説明する。
【００１８】
図１〜図１０は本発明のマスクである防塵用マスクの第１の実施の形態を示し、図１は防塵用マスクの内側から見た斜視図、図２は同マスクを顔面に装着した時の状態を示す正面図、図３は図２のＩＩＩ−ＩＩＩ矢視断面図、図４は図２のＩＶ−ＩＶ矢視断面図、図５は同マスクに使用されている保形部材の前側から見た斜視図、図６は同保形部材の正面図、図７は同保形部材の平面図、図８は同保形部材の側面図、図９は同実施の形態のマスクを顔面に装着した際の前記保形部材と顔面との位置関係を示す側断面、図１０は本実施の形態のマスクの作用説明用の正面図である。
【００１９】
図１〜図４に示すように、この防塵用マスクは、顔面に装着したとき鼻８１と口８２と顎８３の下面を覆う大きさに形成されたマスク本体１と、マスク本体１の全外周縁部から内方に延びて、マスク本体１を顔面に装着したときに、顔面に密着し且つ鼻８１と口８２に対応する位置に開口２ａを有する伸縮性の接顔布２と、マスク本体１を外面に装着するための締紐３とから構成されている。
【００２０】
マスク本体１の鼻梁８１ａに対応する部分（左右方向の中央上部）には、マスク本体１を顔面に装着したときに鼻梁８１ａとの間に間隔を持つような深さの凹形状の鼻当部１ａが設けられ、マスク本体１の左右側部には、顔面に装着したときに頬８４に食い込むように当接する頬当部１ｂが設けられ、マスク本体１の顎８３に対応する部分（左右方向の中央下部）には、顔面に装着したときに顎８３の下面を覆うことができ顎８３の下面に一部または全部が当接または当節しない顎当部１ｃが設けられている。
【００２１】
そして、マスク本体１は、その左右側部が顔面の動きに追従して撓んだときに上下方向に変形するように構成されている。
【００２２】
この場合、マスク本体１は、外面側の柔軟なシート状部材１０と、該シート状部材１０の内面側に配されてマスク本体１の形状を保持する適度な弾性を有する材料により成形された保形部材２０とから構成されている。シート状部材１０は、例えば、不織布、織布、又は編布の単層体や積層体、あるいは、外層と内層を不織布で成形した袋の中に詰め物を入れたような、もので構成されている。保形部材２０は、例えば、ポリエチレン、ポリ塩化ビニル、ポリプロピレン、ゴム等が使用でき、適度な弾性を有する材料であれば良い。
【００２３】
また、図５〜図９に示すように、適度な弾性を有する材料で成形された保形部材２０は、マスク本体１の全外周縁部に沿い且つ顔面の起伏に沿わないような立体形状に形成された環状部２１と、該環状部２１に端部が結合されることで湾曲したネット状に張られた桟部２２とから構成されている。なお、桟部２２は、間隔をおいて配置された数本の縦桟２２ａとそれに交差するように設けられた数本の横桟２２ｂとからなる。
【００２４】
そして、環状部２１の左右方向の中央上部に、マスク本体１を顔面に装着したときに鼻梁８１ａとの間に間隔を持つような深さで凹形状に形成された鼻当部２１ａが設けられ、環状部２１の左右側部に、マスク本体１を顔面に装着したときに頬８４に食い込むように当接する頬当部２１ｂが設けられ、環状部２１の左右方向の中央下部に、マスク本体１を顔面に装着したときに顎８３の下面を覆うことができ顎８３の下面に一部または全部が当接または当接しない顎当部２１ｃが設けられている。これら保形部材２０の鼻当部２１ａ、頬当部２１ｂ、顎当部２１ｃは、シート状部材１０の周縁部の内側に収まることで、マスク本体１の鼻当部１ａ、頬当部１ｂ、顎当部１ｃをそれぞれ構成している。
【００２５】
換言すれば、保形部材２０の環状部２１は、鼻当部２１ａと左右一対の頬当部２１ｂの箇所が顔面の起伏に沿わず、その以外の箇所がほぼ顔面の起伏に沿う立体形状に形成されている。
【００２６】
このように構成された防塵用マスクは、マスク本体１が顎８３の下面を覆うことができ顎８３の下面に一部又は全部が当接または当接しない顎当部１ｃを持っているので、口の動きに引きずられてマスク本体１が上にずり上がるのを防止することができる。また、鼻当部２１ａが顔面の硬い部分である鼻梁８１ａに当たらないので、口の動きに引きずられて顔面との間に余計な隙間ができず密着性を維持でき、マスク本体１がずり上がるのを防止することができる。また、マスク本体１が顔の動きに追従して上下方向に変形するようになっているので、口の動きに引きずられてマスク本体１が下にずり下がるのを防止することができる。
【００２７】
つまり、図１０に示すように、マスク本体１は、その左右側部（図中二点鎖線Ｓで示す部分）が顔面の動きに追従して、例えば、矢印Ｂで示すような左右方向や紙面と垂直な方向に撓んだときに、矢印Ｃで示す上下方向に変形するように構成されている。そのため、口を開いたり閉じたりする動きに引きずられて、マスク本体１が下にずり下がることがなくなる。
【００２８】
特に、本実施形態では、適度な弾性を有する材料で成形された保形部材２０をシート状部材１０の内面側に配することでマスク本体１を構成しているので、保形部材２０の形状により、密着性を維持しつつマスク本体１に口の動きに追従する変形のしやすさを容易に持たせることができる。
【００２９】
具体的には、保形部材２０を、マスク本体１の全外周縁部に沿い且つ顔面の起伏に沿わないような立体形状に形成された環状部２１と、その環状部２１に端部が結合されることで湾曲ネット状に張られた桟部２２とで構成しているので、保形部材２０が変形するときに、環状部２１の周長を一定に保ちながら変形させることができる。従って、左右の頬当部２１ｂが顔面の動きに追従して左右方向に撓んだ場合、それに伴って、左右方向中央部の鼻当部２１ａと顎当部２１ｃを上下方向に変位させことができる。そのため、口の動きに伴う顔面の動きに追従して、密着性を維持しつつマスク本体１を容易に変形させることができて、マスク本体１を上にも下にもずれにくくすることができる。
【００３０】
また、本実施形態のマスクは、マスク本体１が顎８３の下面を覆うことができ顎８３の下面に一部又は全部が当接または当接しない顎当部１ｃを持っているので、口の動きに引きずられてマスク本体１が上にずり上がるのを防止することができる。また、顎当部１ｃと顎８３の間にできる隙間を補うように接顔布が顔面に密着するので、密着性を維持しつつマスク本体１がずり下がるのを防止することができる。
【００３１】
また、マスク本体１の鼻当部１ａが鼻梁８１ａに直接当たらないようにできているので、長時間の装着においても、鼻梁８１ａが痛くなることがない。また、鼻当部１ａが顔面の硬い部分である鼻梁８１ａに当たらないので、口の動きに引きずられて顔面との間に余計な隙間ができず密着性を維持でき、マスク本体１がずり上がるのを防止することができる。また、鼻当部１ａと鼻梁８１ａの間にできる隙間を補うように接顔布２が顔面に密着するので、密着性を維持しつつ装着性の良さを発揮することができる。接顔布２は、例えば、ウレタンやシリコーン等の通気性のない材料であれば良く、通気性のない材料による単層体や、通気性のない材料による層を少なくとも１層以上含んだ積層体でもよい。
【００３２】
また、マスク本体１の左右側部に頬当部１ｂが設けられており、その頬当部１ｂが顔面の硬い部分ではない頬８４に食い込むよう当たるので、密着性を維持しつつ痛さを感じずにフィット性を良好に保つことができる。
【００３３】
なお、上記第１の実施の形態においては、マスク本体１をシート状部材１０と保形部材２０で構成した場合を示したが、図１１〜図１３に示す第２の実施の形態の防塵用マスク（マスク）のように、マスク本体１を、柔軟性と保形性を有するシート材料（例えば不織布）だけで一体に形成することもできる。そうした場合は、保形部材が要らないので、部品点数の削減を図ることができて、より安価に製品を提供することができる。
【図面の簡単な説明】
【００３４】
【図１】本発明の第１の実施の形態を示し、防塵用マスクの内側から見た斜視図である。
【図２】本発明の第１の実施の形態を示し、防塵用マスクを顔面に装着した時の状態を示す正面図である。
【図３】本発明の第１の実施の形態を示し、図２のＩＩＩ−ＩＩＩ矢視断面図である。
【図４】本発明の第１の実施の形態を示し、図２のＩＶ−ＩＶ矢視断面図である。
【図５】本発明の第１の実施の形態を示し、保形部材の前側から見た斜視図である。
【図６】本発明の第１の実施の形態を示し、保形部材の正面図である。
【図７】本発明の第１の実施の形態を示し、保形部材の平面図である。
【図８】本発明の第１の実施の形態を示し、保形部材の側面図である。
【図９】本発明の第１の実施の形態を示し、防塵用マスクを顔面に装着した際の同保形部材と顔面との位置関係を示す側断面である。
【図１０】本発明の第１の実施の形態を示し、防塵用マスクの作用説明用の正面図である。
【図１１】本発明の第２の実施の形態を示し、防塵用マスクを顔面に装着した時の状態を示す正面図である。
【図１２】本発明の第２の実施の形態を示し、図１１のＸＩＩ−ＸＩＩ矢視断面図である。
【図１３】本発明の第２の実施の形態を示し、図１１のＸＩＩＩーＸＩＩＩ矢視断面図である。
【符号の説明】
【００３５】
１  マスク本体
１ａ  鼻当部
１ｂ  頬当部
１ｃ  顎当部
２  接顔布
２ａ  開口
１０  シート状部材
２０  保形部材
２１  環状部
２１ａ  鼻当部
２１ｂ  頬当部
２１ｃ  顎当部
２２  桟部
８１  鼻
８１ａ  鼻梁
８２  口
８３  顎
８４  頬
【図１】
2010057839.tif 000003
【図２】
2010057839.tif 000004
【図３】
2010057839.tif 000005
【図４】
2010057839.tif 000006
【図５】
2010057839.tif 000007
【図６】
2010057839.tif 000008
【図７】
2010057839.tif 000009
【図８】
2010057839.tif 000010
【図９】
2010057839.tif 000011
【図１０】
2010057839.tif 000012
【図１１】
2010057839.tif 000013
【図１２】
2010057839.tif 000014
【図１３】
2010057839.tif 000015